(57)【要約】【課題】簡素な構成にて、抜止位置のプラグが挿脱位置に向けて回動されることを規制できる電気用接続構造を提供する。【解決手段】コンセントが、抜止位置ＦｂにおいてプラグＱの差込刃を抜止状態に係止する係止部を備え、抜止位置Ｆｂに位置する状態のプラグＱに対して、当該プラグＱの回動操作方向に回転不能でかつコンセントから離れるコンセント離間方向に移動不能な設定装着形態に装着自在な回転阻止部材Ｇが設けられ、抜止位置ＦｂのプラグＱを挿脱位置Ｆａに向けて回動させる方向への回転阻止部材Ｇの回動を接当規制する受止部Ｈが設けられている。【選択図】図７
2020087610.tif 000002
【特許請求の範囲】
【請求項１】
電気用のコンセントと、当該コンセントに接続する電気用のプラグとからなり、
前記コンセントのプラグ挿入口が、前記プラグの一対の差込刃を挿脱する挿脱位置と前記差込刃を抜け止めする抜止位置とに亘って前記一対の差込刃を前記プラグの正逆回動操作により往復移動させる湾曲状に形成され、
前記コンセントが、前記抜止位置において前記差込刃を抜止状態に係止する係止部を備えている電気用接続構造であって、
前記抜止位置に位置する状態の前記プラグに対して設定装着形態に装着自在な回転阻止部材が設けられ、
前記設定装着形態が、前記プラグの回動操作方向に回転不能でかつ前記コンセントから離れるコンセント離間方向に移動不能な状態に前記回転阻止部材を前記プラグに装着する形態であり、
前記抜止位置の前記プラグを前記挿脱位置に向けて回動させる方向への前記回転阻止部材の回動を接当規制する受止部が設けられている電気用接続構造。
【請求項２】
壁面に装着自在でかつ前記コンセントを備えるコンセントケースが、前記プラグ挿入口を形成する差込面部を前記壁面に沿う姿勢の案内面部から起立する姿勢となる形態で備えるように構成され、
前記受止部が、前記案内面部にて構成されている請求項１に記載の電気用接続構造。
【請求項３】
前記プラグが、前記一対の差込刃が並ぶ並び方向に広幅な扁平状であり、
前記回転阻止部材が、前記プラグの前記並び方向とは直交する厚さ方向に並ぶ一対の構成体を備え、
前記一対の構成体が、前記プラグを挟持する状態に、特殊ネジにて締結されている請求項１又は２に記載の電気用接続構造。
【請求項４】
前記プラグが、前記一対の差込刃とは離れる側の端部に、外方側に拡がる突出部を備える形態であり、
前記回転阻止部材が、前記コンセント離間方向に移動不能に前記突出部に係止される被係止部を備えることにより、前記コンセント離間方向に移動不能に装着されている請求項１〜３のいずれか１項に記載の電気用接続構造。
【請求項５】
前記プラグが、前記コンセント離間方向に並ぶ凹凸部を外表面部に備える形態であり、
前記回転阻止部材が、前記コンセント離間方向に移動不能に前記凹凸部に係止される被凹凸部を備えることにより、前記コンセント離間方向に移動不能に装着されている請求項１〜３のいずれか１項に記載の電気用接続構造。
【請求項６】
前記コンセントが、単相３線式の商用電源における中性線及び一対の電圧線の一方に接続され、
前記プラグが、発電部からの電力供給用の配線に接続されている請求項１〜５のいずれか１項に記載の電気用接続構造。
【請求項７】
請求項１〜６のいずれか１項に記載の電気用接続構造に用いられる回転阻止部材。
【発明の詳細な説明】
【技術分野】
【０００１】
本発明は、電気用のコンセントと、当該コンセントに接続する電気用のプラグとからなり、
前記コンセントのプラグ挿入口が、前記プラグの一対の差込刃を挿脱する挿脱位置と前記差込刃を抜け止めする抜止位置とに亘って前記一対の差込刃を前記プラグの正逆回動操作により往復移動させる湾曲状に形成され、
前記コンセントが、前記抜止位置において前記差込刃を抜止状態に係止する係止部を備えている電気用接続構造及び当該電気用接続構造に用いられる回転阻止部材に関する。
【背景技術】
【０００２】
かかる電気用接続構造は、プラグの一対の差込刃を挿脱位置にてプラグ挿入口に差し込み、その後、プラグを回動操作して、一対の差込刃を抜止位置に位置させることにより、プラグがコンセントから抜けるトラブルを回避できるものである。
しかしながら、本来は、外す必要がないプラグであるにも拘わらず、不慣れな使用者等がプラグを挿脱位置に位置させる状態に回動操作して、プラグを外してしまう（抜きとってしまう）トラブルが発生する虞がある。
【０００３】
このようなトラブルの発生を回避するために、プラグを抜止位置に位置させる状態において、プラグが挿脱位置に向けて移動することを受止め規制する施錠状態にする施錠部を、プラグに設けるようにしたものがある（例えば、特許文献１参照。）。
【０００４】
また、上記トラブルの発生を回避するために、プラグを抜止位置に位置させる状態において、プラグが挿脱位置に向けて移動することを受止め規制する施錠状態にする施錠部を、コンセントに設けるようにしたものがある（例えば、特許文献２参照。）。
【先行技術文献】
【特許文献】
【０００５】
【特許文献１】特開２０１０‐１６１０２７号公報
【特許文献２】特開２０１０‐１６０９９６号公報
【発明の概要】
【発明が解決しようとする課題】
【０００６】
従来では、抜止位置のプラグが挿脱位置に向けて移動することを受止め規制する施錠状態にする施錠部を、プラグやコンセントに設けるものであるから、プラグやコンセントが複雑で高価になる不都合があり、改善が望まれている。
【０００７】
本発明は、上記実情に鑑みて為されたものであって、その目的は、簡素な構成にて、抜止位置のプラグが挿脱位置に向けて回動されることを規制できる電気用接続構造を提供する点にある。
【課題を解決するための手段】
【０００８】
本発明の電気用接続構造は、電気用のコンセントと、当該コンセントに接続する電気用のプラグとからなり、
前記コンセントのプラグ挿入口が、前記プラグの一対の差込刃を挿脱する挿脱位置と前記差込刃を抜け止めする抜止位置とに亘って前記一対の差込刃を前記プラグの正逆回動操作により往復移動させる湾曲状に形成され、
前記コンセントが、前記抜止位置において前記差込刃を抜止状態に係止する係止部を備えているものであって、その特徴構成は、
前記抜止位置に位置する状態の前記プラグに対して設定装着形態に装着自在な回転阻止部材が設けられ、
前記設定装着形態が、前記プラグの回動操作方向に回転不能でかつ前記コンセントから離れるコンセント離間方向に移動不能な状態に前記回転阻止部材を前記プラグに装着する形態であり、
前記抜止位置の前記プラグを前記挿脱位置に向けて回動させる方向への前記回転阻止部材の回動を接当規制する受止部が設けられている点にある。
【０００９】
すなわち、抜止位置に位置する状態のプラグに対して、回転阻止部材を設定装着形態にて装着する。設定装着形態にて装着された回転阻止部材は、装着されたプラグに対して、当該プラグの回動操作方向に回転不能でかつコンセントから離れるコンセント離間方向に移動不能な状態となる。
【００１０】
回転阻止部材をプラグに設定装着形態で装着した状態では、抜止位置のプラグを挿脱位置に向けて回動させる方向への回転阻止部材の回動が、受止部によって接当規制されることになるから、抜止位置に位置させた状態のプラグが挿脱位置に位置させる状態に回動されることを規制できるため、プラグを誤ってコンセントから外してしまう（抜きとってしまう）トラブルが発生することを回避できる。
【００１１】
そして、プラグに対して設定装着形態で回転阻止部材を装着し、そのように設定装着形態で装着された回転阻止部材の回動を受止部によって受止めることにより、抜止位置に位置させる状態のプラグが挿脱位置に位置させる状態に回動されることを規制するものであるから、プラグやコンセントを複雑な構成に改造することなく、抜止位置のプラグが挿脱位置に向けて回動することを、簡素な構成にて規制することができる。
【００１２】
要するに、本発明の電気用接続構造の特徴構成によれば、簡素な構成にて、抜止位置のプラグが挿脱位置に向けて回動されることを規制できる。
【００１３】
本発明の電気用接続構造の更なる特徴構成は、壁面に装着自在でかつ前記コンセントを備えるコンセントケースが、前記プラグ挿入口を形成する差込面部を前記壁面に沿う姿勢の案内面部から起立する姿勢となる形態で備え、
前記受止部が、前記案内面部にて構成されている点にある。
【００１４】
すなわち、壁面に装着自在でかつコンセントを備えるコンセントケースが、プラグ挿入口を形成する差込面部を壁面に沿う姿勢の案内面部から起立する姿勢となる形態で備えていることを利用して、受止部が、案内面部にて構成される。
【００１５】
つまり、壁面に装着するコンセントケースが、プラグ挿入口を形成する差込面部を壁面に沿う姿勢の案内面部から起立する姿勢となる形態で備えることにより、プラグをプラグ挿入口に差し込んで正逆に回動する際に、プラグを回動操作する手指を案内面部にて保護することにより、手指が壁面に接触して傷つく等の不都合が発生することを回避できることになる。
そして、コンセントケースが、案内面部を備えることを利用して、受止部を案内面部にて構成する。
【００１６】
そして、差込面部及び案内面部を上述の形態で備えるコンセントケースは、一般に市販されているものであるから、市販されているコンセントケースを用いた構成にて抜止位置のプラグが挿脱位置に向けて回動されることを規制できる。
【００１７】
要するに、本発明の電気用接続構造の更なる特徴構成によれば、市販されているコンセントケースを用いた構成にて抜止位置のプラグが挿脱位置に向けて回動されることを規制できる。
【００１８】
本発明の電気用接続構造の更なる特徴構成は、前記プラグが、前記一対の差込刃が並ぶ並び方向に広幅な扁平状であり、
前記回転阻止部材が、前記プラグの前記並び方向とは直交する厚さ方向に並ぶ一対の構成体を備え、
前記一対の構成体が、前記プラグを挟持する状態に、特殊ネジにて締結されている点にある。
【００１９】
すなわち、プラグが、一対の差込刃が並ぶ並び方向に広幅な扁平状である点に鑑みて、回転阻止部材を、プラグにおける一対の差込刃が並ぶ並び方向とは直交する厚さ方向に並ぶ一対の構成体を備える形態とし、そして、一対の構成体を、プラグを挟持する状態に、特殊ネジにて締結するようにする。
【００２０】
そして、特殊ネジの頭部に形成される工具係合凹部が、菊状や星状等の特殊な形状であるから、一般に使用されているマイナスドライバーやプラスドライバー等を係合させることができないため、一般の使用者では特殊ネジを緩めることができないものとなり、その結果、回転阻止部材をプラグから外すことができないものとなる。
【００２１】
要するに、本発明の電気用接続構造の更なる特徴構成によれば、回転阻止部材がプラグから外されること抑制して、抜止位置のプラグが挿脱位置に向けて回動されることを一層的確に規制できる。
【００２２】
本発明の電気用接続構造の更なる特徴構成は、前記プラグが、前記一対の差込刃とは離れる側の端部に、外方側に拡がる突出部を備える形態であり、
前記回転阻止部材が、前記コンセント離間方向に移動不能に前記突出部に係止される被係止部を備えることにより、前記コンセント離間方向に移動不能に装着されている点にある。
【００２３】
すなわち、プラグが、一対の差込刃とは離れる側の端部に、外方側に拡がる突出部を備える形態である点に鑑みて、回転阻止部材に、コンセント離間方向に移動不能に突出部に係止される被係止部を備えさせて、回転阻止部材をプラグに対してコンセント離間方向に移動不能に装着させるようにする。
【００２４】
ちなみに、プラグが、一対の差込刃とは離れる側の端部に外方側に拡がる突出部を備える形態は、一般に市販されているプラグが備えている形態である。
【００２５】
要するに、本発明の電気用接続構造の更なる特徴構成によれば、プラグが備えている形態を利用した簡素な構成にて、回転阻止部材をプラグに対してコンセント離間方向に移動不能に装着できる。
【００２６】
本発明の電気用接続構造の更なる特徴構成は、前記プラグが、前記コンセント離間方向に並ぶ凹凸部を外表面部に備える形態であり、
前記回転阻止部材が、前記コンセント離間方向に移動不能に前記突出部に係止される被凹凸部を備えることにより、前記コンセント離間方向に移動不能に装着されている点にある。
【００２７】
すなわち、プラグが、コンセント離間方向に並ぶ凹凸部を外表面部に備える形態である点に鑑みて、回転阻止部材に、コンセント離間方向に移動不能に凹凸部に係止される被凹凸部を備えさせて、回転阻止部材をプラグに対してコンセント離間方向に移動不能に装着させるようにする。
【００２８】
ちなみに、プラグが、コンセント離間方向に並ぶ凹凸部を外表面部に備える形態は、一般に市販されているプラグが備えている形態である。
【００２９】
要するに、本発明の電気用接続構造の更なる特徴構成によれば、プラグが備えている形態を利用した簡素な構成にて、回転阻止部材をプラグに対してコンセント離間方向に移動不能に装着できる。
【００３０】
本発明の電気用接続構造の更なる特徴構成は、前記コンセントが、単相３線式の商用電源における中性線及び一対の電圧線の一方に接続され、
前記プラグが、発電部からの電力供給用の配線に接続されている点にある。
【００３１】
すなわち、燃料電池や太陽光発電器等の発電部からの電力供給用の配線に接続されたプラグを、単相３線式の商用電源における中性線及び一対の電圧線の一方に接続されたコンセントに接続する際に、抜止位置のプラグが挿脱位置に回動されることを規制できるため、プラグを誤ってコンセントから外してしまう（抜きとってしまう）トラブルが発生することを回避できる。
【００３２】
つまり、燃料電池や太陽光発電器等の発電部が小電力を供給する形態に構成される場合には、発電部からの電力供給用の配線に接続されたプラグを、単相３線式の商用電源における中性線及び一対の電圧線の一方に接続されるコンセントに接続することになる。
このような場合において、プラグに対して設定装着形態で装着した回転阻止部材の回動を受止部によって受止めることにより、抜止位置のプラグが挿脱位置に回動されることを規制することによって、プラグを誤ってコンセントから外してしまう（抜きとってしまう）トラブルが発生することを回避できるのである。
【００３３】
要するに、本発明の電気用接続構造の更なる特徴構成によれば、発電部からの電力供給用の配線に接続されたプラグを、単相３線式の商用電源における中性線及び一対の電圧線の一方に接続されるコンセントに接続する場合において、プラグを誤ってコンセントから外してしまうトラブルの発生を回避できる。
【００３４】
本発明の回転阻止部材を電気用接続構造に用ることにより、簡素な構成にて、抜止位置のプラグが挿脱位置に向けて回動されることを規制できる。
【図面の簡単な説明】
【００３５】
【図１】電気設備の概略図
【図２】屋外用のコンセントの斜視図
【図３】コンセントの挿入口の形態を示す正面図
【図４】コンセントの抜止用の係止構成を示す縦断面図
【図５】プラグを挿入口の挿脱位置に挿入した状態を示す正面図
【図６】プラグを挿入口の抜止位置に回動した状態を示す正面図
【図７】第１実施形態の回転阻止部材を装着した状態を示す正面図
【図８】第１実施形態の回転阻止部材の構成を示す横断平面図
【図９】第２実施形態の回転阻止部材の構成を示す横断平面図
【図１０】第２実施形態の回転阻止部材の構成を示す一部切欠側面図
【図１１】第３実施形態の側面図
【図１２】第３実施形態の正面図
【発明を実施するための形態】
【００３６】
〔第１実施形態〕
以下、本発明の実施形態を図面に基づいて説明する。
（家屋用の電気設備の全体構成）
図１に示すように、商用電源（電力系統）Ａからの電気の供給を受ける電気設備が設けられている。本実施形態は、電気設備として、一般家庭の電気設備を代表として説明するが、病院、工場、ホテル等の電気設備においても同様に実施できるものである。
【００３７】
この電気設備においては、引き込み線１Ａを介して電力メータ２が商用電源Ａに接続され、当該電力メータ２に、家屋Ｋの内部に設置した分電盤３が接続線１Ｂを介して接続されている。
分電盤３には、漏電の検出に応じて電気の供給を遮断する主幹ブレーカ４が設けられ、この主幹ブレーカ４に対して並列状態で複数の分岐線５が分岐され、各分岐線５には分岐ブレーカ６が接続され、当該複数の分岐ブレーカ６の夫々に家屋用配線７が接続されている。
【００３８】
分電盤３が、単相３線方式（２００Ｖ）にて商用電源Ａと接続され、複数の分岐線５の夫々が、単相３線における中性線及び一対の電圧線の一方に接続された単相２線方式（１００Ｖ）となる形態で設けられ、分岐ブレーカ６を経由して分岐線５に接続される複数の家屋用配線７が、単相２線方式（１００Ｖ）となるように構成されている。
【００３９】
複数の家屋用配線７のうちの一部には、屋内に設置する電力消費機器（例えば、照明機器や屋内用のコンセント等）９が接続され、複数の家屋用配線７のうちの一部には、屋外に設置する屋外用コンセント１０及び屋内に設置する屋内用コンセント１１が接続されている。尚、屋外用コンセント１０は、本願発明の電気用のコンセントＰに相当する。
【００４０】
燃料電池や太陽光発電器等の電源部Ｅが屋外に設置され、この電源部Ｅから延出される電力供給用電線１２（本願発明の「電力供給用の配線」に相当）の先端に設けられた電源用プラグ１３が、屋外用コンセント１０に接続されている。尚、電源用プラグ１３は、本願発明の電気用のプラグＱに相当する。
また、屋内用コンセント１１には、電力消費機器（例えば、常夜灯等の照明機器）９から延出される受電用電線１４の先端の受電用プラグ１５が接続されている。
【００４１】
したがって、本実施形態においては、電源部Ｅからの発電電力が屋内用コンセント１１に接続した電力消費機器９に供給されるように構成されている。
つまり、屋内用コンセント１１に接続される電力消費機器９が、主として電源部Ｅからの発電電力にて作動し、かつ、不足する電力を商用電源Ａからの電力にて補うように構成されている。
ちなみに、電源部Ｅから延出される電力供給用電線１２には、過電流及び漏電を防止する個別ブレーカ１６が設けられている。
【００４２】
（屋外用コンセントの詳細）
図２に示すように、屋外用コンセント１０が、家屋Ｋの壁面Ｗに沿う姿勢で装着されるコンセントケースＤの内部に備えられている。
コンセントケースＤは、プラグ挿入口１７を形成する差込面部Ｄｓを壁面Ｗに沿う姿勢の案内面部Ｄａから起立する姿勢で備え、且つ、差込面部Ｄｓが下向きとなる姿勢で壁面Ｗに装着されるように構成されている。
つまり、コンセントケースＤは、案内面部Ｄａを形成し且つ壁面Ｗに当て付けた状態で装着される基体部Ｄｔ、及び、側面視にて下端側ほど前方側に突出する３角形状の覆い部Ｄｖを備えている。
【００４３】
そして、差込面部Ｄｓが、覆い部Ｄｖの下部側の開口を閉じる状態で設けられ、差込面部Ｄｓの下方側に、案内面部Ｄａが備えられている。
例示するコンセントケースＤは、覆い部Ｄｖの下端に、差込面部Ｄｓの下方側に張り出す庇部Ｄｈを備える形態に構成されている。
尚、差込面部Ｄｓと案内面部Ｄａとの間の角度は、９０度よりも大きな角度（例えば、１００度）であるが、本第１実施形態においては、差込面部Ｄｓと案内面部Ｄａとの間の角度が９０度であるとして記載する。後述する第２実施形態及び第３実施形態も同様である。
【００４４】
図３に明示するように、プラグ挿入口１７が、電源用プラグ１３の一対の差込刃１３ａを挿脱する挿脱位置Ｆａと差込刃１３ａを抜け止めする抜止位置Ｆｂとに亘って一対の差込刃１３ａを電源用プラグ１３の正逆回動操作により往復移動させる湾曲状に形成されている。
したがって、プラグ挿入口１７に挿入した電源用プラグ１３は、挿脱位置Ｆａと抜止位置Ｆｂとの間でのみ回動操作できるものとなり、抜止位置Ｆｂを超えて挿脱位置Ｆａから離れる方向に回動操作することができない。
【００４５】
そして、図４に示すように、屋外用コンセント１０が、抜止位置Ｆｂにおいて差込刃１３ａを抜止状態に係止する係止部Ｂａを備えている。
つまり、屋外用コンセント１０が、電源用プラグ１３の一対の差込刃１３ａの夫々が各別に係合する一対の係合刃１８を備えている。一対の係合刃１８の夫々は、断面形状がＵ字状に形成され且つプラグ挿入口１７に沿って湾曲状に設けられている。
ちなみに、断面形状がＵ字状に形成される係合刃１８の夫々における対向する一対の対向刃部分１８ａは、互いに接近離間する方向に弾性変位自在でかつ互いに接近する状態に弾性復帰するように構成されている。
【００４６】
一対の係合刃１８の抜止位置Ｆｂに相当する箇所に、差込刃１３ａに形成した抜止用係合孔Ｂｃ（図２参照）に係合して、当該一対の差込刃１３ａを抜止状態に係止する突起状の係止部Ｂａが、一対の対向刃部分１８ａのうちの一方側に形成されている。
尚、図示は省略するが、係止部Ｂａにおけるプラグ挿入口１７の長手方向における両端側部分が、対向刃部分１８ａの長手方向視にて、端部に向かうほど外方側に偏位する傾斜状に形成されて、差込刃１３ａがプラグ挿入口１７の長手方向に移動することによって、係止部Ｂａが抜止用係合孔Ｂｃに対して係脱できるように構成されている。
【００４７】
したがって、電源用プラグ１３を、図５に示すように、プラグ挿入口１７に対する挿脱位置Ｆａにて屋外用コンセント１０に挿入し、その後、電源用プラグ１３を、図６に示すように、プラグ挿入口１７に対する抜止位置Ｆｂに回動させることにより、電源用プラグ１３が、抜止状態で屋外用コンセント１０に接続されるように構成されている。
【００４８】
また、電源用プラグ１３を屋外用コンセント１０から外す際には、電源用プラグ１３を抜止位置Ｆｂから挿脱位置Ｆａに回動させて、電源用プラグ１３を屋外用コンセント１０から抜き取ることになる。
そして、差込面部Ｄｓにおける壁面Ｗの存在側には案内面部Ｄａが位置するから、電源用プラグ１３を正逆に回動する使用者の手指が壁面Ｗに接触することを回避できるため、電源用プラグ１３を良好に回動操作できることになる。
【００４９】
（回転阻止部材について）
図７に示すように、一対の差込刃１３ａが抜止位置Ｆｂに位置する状態の電源用プラグ１３に対して設定装着形態に装着自在な回転阻止部材Ｇが設けられている。
設定装着形態は、電源用プラグ１３の回動操作方向に回転不能でかつ屋外用コンセント１０から離れるコンセント離間方向に移動不能な状態に回転阻止部材Ｇを電源用プラグ１３に装着する形態である。
また、抜止位置Ｆｂの電源用プラグ１３を挿脱位置Ｆａに向けて回動させる方向への回転阻止部材Ｇの回動を接当規制する受止部Ｈが、案内面部Ｄａにて構成される形態で設けられている。
【００５０】
本実施形態においては、電源用プラグ１３が、一対の差込刃１３ａが並ぶ並び方向に広幅な扁平状であり、且つ、一対の差込刃１３ａとは離れる側の端部に、外方側に拡がる突出部１３Ａを備える形態に構成されている。
【００５１】
そして、回転阻止部材Ｇが、電源用プラグ１３における一対の差込刃１３ａの並び方向とは直交する厚さ方向に並ぶ一対の板状の構成体２０を備え、一対の構成体２０が、電源用プラグ１３を挟持する状態に、一対の特殊ネジ２１にて締結されている。
つまり、特殊ネジ２１が、一対の構成体２０の一方側を貫通し、かつ、一対の構成体２０の他方側に螺合する状態で設けられている。
ちなみに、特殊ネジ２１は、操作用頭部に形成される工具係合凹部２１ａが、星状や菊状等の特殊な形状に形成されるものであって、専用工具にて回動操作されることになる。
【００５２】
また、回転阻止部材Ｇが、屋外用コンセント１０から離間するコンセント離間方向に移動不能に突出部１３Ａに係止される一対の被係止部２２を備えることにより、コンセント離間方向に移動不能に装着されている。
つまり、一対の被係止部２２が、特殊ネジ２１が貫通する筒状体として形成されて、一対の構成体２０の間に挟持される形態で備えられている。
ちなみに、電源用プラグ１３に設定装着形態で装着した回転阻止部材Ｇは、一対の被係止部２２が電源用プラグ１３に接当することにより、または、回転阻止部材Ｇが差込面部Ｄｓに接当することにより、屋外用コンセント１０に接近する方向の移動が規制されるように構成されている。
【００５３】
また、本実施形態においては、回転阻止部材Ｇの下端部が案内面部Ｄａに接当することにより、抜止位置Ｆｂの電源用プラグ１３を挿脱位置Ｆａに向けて回動させる方向への回転阻止部材Ｇの回動を接当規制される。
【００５４】
以上の通り、抜止位置Ｆｂに位置する状態の電源用プラグ１３に対して回転阻止部材Ｇが設定装着形態に装着され、且つ、回転阻止部Ｇを挿脱位置Ｆａに向けて回動することが受止部Ｈにて受止規制されることにより、電源用プラグ１３が抜止位置Ｆｂから挿脱位置Ｆａに回動操作することが規制されるため、電源用プラグ１３が誤って抜き取られる（外される）ことを抑制できる。
【００５５】
〔第２実施形態〕
次に、第２実施形態を説明するが、この第２実施形態は、設定装着形態において、回転阻止部材Ｇをコンセント離間方向に移動不能にする形態の別形態を示すものであり、第１実施形態と同様な部材には同じ符号を付して詳細な説明を省略する。
【００５６】
すなわち、図９及び図１０に示すように、電源用プラグ１３が、コンセント離間方向に並ぶ凹凸部Ｕａを外表面部に備える形態に構成されている。
そして、回転阻止部材Ｇが、コンセント離間方向に移動不能に凹凸部Ｕａに係止される被凹凸部Ｕｂを備えることにより、コンセント離間方向に移動不能に装着されている。
つまり、本実施形態においては、被凹凸部Ｕｂが、一対の構成体２０の内面側に形成されている。
ちなみに、本実施形態においては、被凹凸部Ｕｂが凹凸部Ｕａに係止されることにより、回転阻止部材Ｇが電源用プラグ１３に対して屋外用コンセント１０に接近する方向に移動することが規制されている。
【００５７】
また、一対の構成体２０が、電源用プラグ１３を挟持する状態に、一対の特殊ネジ２１にて締結され、さらに、特殊ネジ２１が貫通する筒状体２３が、一対の構成体２０の間に挟持される形態で備えられている。
【００５８】
この第２実施形態においても、抜止位置Ｆｂに位置する状態の電源用プラグ１３に対して回転阻止部材Ｇが設定装着形態に装着され、且つ、回転阻止部Ｇを挿脱位置Ｆａに向けて回動することが受止部Ｈにて受止規制されることにより、電源用プラグ１３が抜止位置Ｆｂから挿脱位置Ｆａに回動操作することが規制されるため、電源用プラグ１３が誤って抜き取られる（外される）ことを抑制できる。
【００５９】
〔第３実施形態〕
次に、第３実施形態を説明するが、この第３実施形態は、受止部Ｈの別形態を示すものであり、第１実施形態と同様な部材には同じ符号を付して詳細な説明を省略する。
【００６０】
すなわち、図１１及び図１２に示すように、コンセントケースＤが案内面部Ｄａを備えない形態に構成されている。
そして、壁面ＷにおけるコンセントケースＤの下側に位置する箇所に、受止部Ｈを形成する突状体２４が、ビス止めや接着等の止着手段にて設けられている。
そして、回転阻止部材Ｇを挿脱位置Ｆａに向けて回動することが突状体２４にて形成された受止部Ｈにて受止規制されるように構成されている。
【００６１】
この第３実施形態においても、抜止位置Ｆｂに位置する状態の電源用プラグ１３に対して回転阻止部材Ｇが設定装着形態に装着され、且つ、回転阻止部Ｇを挿脱位置Ｆａに向けて回動することが受止部Ｈにて受止規制されることにより、電源用プラグ１３が抜止位置Ｆｂから挿脱位置Ｆａに回動操作することが規制されるため、電源用プラグ１３が誤って抜き取られる（外される）ことを抑制できる。
【００６２】
〔その他の別実施形態〕
以下、その他の別実施形態を列記する。
（１）上記第１〜第３実施形態においては、電気用のコンセントＰとしての屋外用コンセント１０に、電気用のプラグＱとしての電源用プラグ１３を接続する場合において、回転阻止部材Ｇ及び受止部Ｈを装着する場合を例示したが、その他の電気用のコンセントＰに各種の電気用のプラグＱを接続する場合についても本発明は適用できる。
【００６３】
（２）上記第１及び第２実施形態においては、コンセントケースＤが案内面部Ｄａを備える場合において、案内面部Ｄａにて受止部Ｈを構成する場合を例示したが、コンセントケースＤが案内面部Ｄａを備える場合において、受止部Ｈを形成する別部材を、案内面部Ｄａに止着する形態で実施してもよい。
【００６４】
（３）上記第１〜第３実施形態においては、電気用のコンセントＰとしての屋外用コンセント１０が、単相３線式の商用電源Ａにおける中性線及び一対の電圧線の一方に接続される形態の場合を例示したが、電気用のコンセントＰが、単相３線式の商用電源Ａの中性線及び一対の電圧線に接続される形態の場合にも同様に実施できる。
【００６５】
（４）上記第１〜第３実施形態においては、電源用プラグ１３（プラグＱ）として市販のプラグを用いる場合を説明したが、電源用プラグ１３（プラグＱ）として、回転阻止部材Ｇの装着にてきした専用の電源用プラグ１３（プラグＱ）を製作する形態で実施してもよい。
【００６６】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００６７】
１３Ａ  突出部
１３ａ  差込刃
１７    プラグ挿入口
２０    構成体
２１    特殊ネジ
２２    被係止部
Ａ      商用電源
Ｂａ    係止部
Ｄ      コンセントケース
Ｄａ    案内面部
Ｄｓ    差込面部
Ｆａ    挿脱位置
Ｆｂ    抜止位置
Ｇ      回転阻止部材
Ｈ      受止部
Ｐ      コンセント
Ｑ      プラグ
Ｕａ    凹凸部
Ｕｂ    被凹凸部
【図１】
2020087610.tif 000003
【図２】
2020087610.tif 000004
【図３】
2020087610.tif 000005
【図４】
2020087610.tif 000006
【図５】
2020087610.tif 000007
【図６】
2020087610.tif 000008
【図７】
2020087610.tif 000009
【図８】
2020087610.tif 000010
【図９】
2020087610.tif 000011
【図１０】
2020087610.tif 000012
【図１１】
2020087610.tif 000013
【図１２】
2020087610.tif 000014